【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
プリフォーマットされたピットがトラック中心に対して半径方向外周側と内周側とに対称に変位した部分を含むディスクと、該ディスクに光スポットを形成するヘッドとの間の傾きを補正するディスク装置において、
前記光スポットで反射された光を受光する光検知器と、
前記光スポットが前記外周側に変位した部分を通過する際の前記光検知器の和信号振幅と前記内周側に変位した部分を通過する際の和信号振幅との和信号を求める手段と、
求めた和信号を指標として、該指標が極値に近づくように前記ディスクとヘッドとの間の相対的な傾きを制御する傾き制御手段とを備えたことを特徴とするディスク装置。
【請求項２】
プリフォーマットされたピットがトラック中心に対して半径方向外周側と内周側とに対称に変位した部分を含むディスクと、該ディスクに光スポットを形成するヘッドとの間の傾きを補正するディスク装置において、
前記光スポットで反射された光を受光する光検知器と、
前記光スポットが前記外周側に変位した部分を通過する際の前記光検知器の差信号振幅と前記内周側に変位した部分を通過する際の差信号振幅との和信号を求める手段と、
求めた和信号を指標として、該指標が極値に近づくように前記ディスクとヘッドとの間の相対的な傾きを制御する傾き制御手段とを備えたことを特徴とするディスク装置。
【請求項３】
プリフォーマットされたピットがトラック中心に対して半径方向外周側と内周側とに対称に変位した部分を含むディスクと、該ディスクに光スポットを形成するヘッドとの間の傾きを補正するディスク装置において、
前記光スポットで反射された光を受光する光検知器と、
前記光スポットが前記外周側に変位した部分を通過する際の前記光検知器の差信号のエンベロープと所定の基準レベルとの差の絶対値と前記内周側に変位した部分を通過する際の差信号のエンベロープと所定の基準レベルとの差の絶対値との和信号を求める手段と、
求めた和信号を指標として、該指標が極値に近づくように前記ディスクとヘッドとの間の相対的な傾きを制御する傾き制御手段とを備えたことを特徴とするディスク装置。
【請求項４】
前記光ディスクは、トラック中心に対して半径方向外周側に所定距離変位して配置された第１の識別情報領域と半径方向内周側に前記所定距離と同距離だけ変位して配置された第２の識別情報領域を含むことを特徴とする請求項１乃至３のいずれか記載のディスク装置。
【請求項５】
プリフォーマットされたピットがトラック中心に対して半径方向外周側と内周側とに対称に変位した部分を含むディスクと、該ディスクに光スポットを形成するヘッドとの間の傾きを補正するディスク装置において、
前記光スポットで反射された光を受光する光検知器と、
前記光スポットが前記外周側に変位した部分を通過する際の前記光検知器の差信号のエンベロープと前記内周側に変位した部分を通過する際の差信号のエンベロープとの差信号または該差信号の絶対値を求める手段と、
求めた差信号または該差信号の絶対値を指標として、該指標が極値に近づくように前記ディスクとヘッドとの間の相対的な傾きを制御する傾き制御手段とを備えたことを特徴とするディスク装置。
【請求項６】
プリフォーマットされたピットがトラック中心に対して半径方向外周側と内周側とに対称に変位した部分を含むディスクと、該ディスクに光スポットを形成するヘッドとの間の傾きを検出するディスク装置において、
前記光スポットで反射された光を受光する光検知器と、
前記光スポットが前記外周側に変位した部分を通過する際の前記光検知器の差信号のエンベロープと前記内周側に変位した部分を通過する際の差信号のエンベロープとの差信号または該差信号の絶対値を求める手段とを備え、
求めた差信号または該差信号の絶対値を指標として、該指標が極値をとるときに前記ディスクとヘッドとの間の相対的な傾きがゼロであることを検出することを特徴とするディスク装置。
【手続補正２】
【補正対象書類名】明細書
【補正対象項目名】００２９
【補正方法】変更
【補正の内容】
【００２９】
【課題を解決するための手段】
この発明に係るディスク装置は、プリフォーマットされたピットがトラック中心に対して半径方向外周側と内周側とに対称に変位した部分を含むディスクと、該ディスクに光スポットを形成するヘッドとの間の傾きを補正するディスク装置において、前記光スポットで反射された光を受光する光検知器と、前記光スポットが前記外周側に変位した部分を通過する際の前記光検知器の和信号振幅と前記内周側に変位した部分を通過する際の和信号振幅との和信号を求める手段と、求めた和信号を指標として、該指標が極値に近づくように前記ディスクとヘッドとの間の相対的な傾きを制御する傾き制御手段とを備えたことを特徴とする。
【手続補正３】
【補正対象書類名】明細書
【補正対象項目名】００３０
【補正方法】変更
【補正の内容】
【００３０】
また、本発明におけるディスク装置は、プリフォーマットされたピットがトラック中心に対して半径方向外周側と内周側とに対称に変位した部分を含むディスクと、該ディスクに光スポットを形成するヘッドとの間の傾きを補正するディスク装置において、前記光スポットで反射された光を受光する光検知器と、前記光スポットが前記外周側に変位した部分を通過する際の前記光検知器の差信号振幅と前記内周側に変位した部分を通過する際の差信号振幅との和信号を求める手段と、求めた和信号を指標として、該指標が極値に近づくように前記ディスクとヘッドとの間の相対的な傾きを制御する傾き制御手段とを備えたことを特徴とする。
【手続補正４】
【補正対象書類名】明細書
【補正対象項目名】００３１
【補正方法】変更
【補正の内容】
【００３１】
また、本発明におけるディスク装置は、プリフォーマットされたピットがトラック中心に対して半径方向外周側と内周側とに対称に変位した部分を含むディスクと、該ディスクに光スポットを形成するヘッドとの間の傾きを補正するディスク装置において、前記光スポットで反射された光を受光する光検知器と、前記光スポットが前記外周側に変位した部分を通過する際の前記光検知器の差信号のエンベロープと所定の基準レベルとの差の絶対値と前記内周側に変位した部分を通過する際の差信号のエンベロープと所定の基準レベルとの差の絶対値との和信号を求める手段と、求めた和信号を指標として、該指標が極値に近づくように前記ディスクとヘッドとの間の相対的な傾きを制御する傾き制御手段とを備えたことを特徴とする。
【手続補正５】
【補正対象書類名】明細書
【補正対象項目名】００３２
【補正方法】変更
【補正の内容】
【００３２】
また、本発明におけるディスク装置は、前記光ディスクが、トラック中心に対して半径方向外周側に所定距離変位して配置された第１の識別情報領域と半径方向内周側に前記所定距離と同距離だけ変位して配置された第２の識別情報領域を含むことを特徴とする。
【手続補正６】
【補正対象書類名】明細書
【補正対象項目名】００３３
【補正方法】変更
【補正の内容】
【００３３】
さらに、この発明に係るディスク装置は、プリフォーマットされたピットがトラック中心に対して半径方向外周側と内周側とに対称に変位した部分を含むディスクと、該ディスクに光スポットを形成するヘッドとの間の傾きを補正するディスク装置において、前記光スポットで反射された光を受光する光検知器と、前記光スポットが前記外周側に変位した部分を通過する際の前記光検知器の差信号のエンベロープと前記内周側に変位した部分を通過する際の差信号のエンベロープとの差信号または該差信号の絶対値を求める手段と、求めた差信号または該差信号の絶対値を指標として、該指標が極値に近づくように前記ディスクとヘッドとの間の相対的な傾きを制御する傾き制御手段とを備えたことを特徴とする。
【手続補正７】
【補正対象書類名】明細書
【補正対象項目名】００３４
【補正方法】変更
【補正の内容】
【００３４】
また、本発明におけるディスク装置は、プリフォーマットされたピットがトラック中心に対して半径方向外周側と内周側とに対称に変位した部分を含むディスクと、該ディスクに光スポットを形成するヘッドとの間の傾きを検出するディスク装置において、前記光スポットで反射された光を受光する光検知器と、前記光スポットが前記外周側に変位した部分を通過する際の前記光検知器の差信号のエンベロープと前記内周側に変位した部分を通過する際の差信号のエンベロープとの差信号または該差信号の絶対値を求める手段とを備え、求めた差信号または該差信号の絶対値を指標として、該指標が極値をとるときに前記ディスクとヘッドとの間の相対的な傾きがゼロであることを検出することを特徴とする。